(57)【特許請求の範囲】
【請求項１】
海水の水路壁から剥離された付着性の貝類を破砕して、または破砕せずに、水切り工程に移送する移送工程と、
移送された貝類に硝酸塩を添加して腐敗臭防止とＣＯＤ抑制を行うとともに、水切りを行い、固形物と分離液とに分離する水切り工程と、
分離した固形物を別途処理する工程と、
分離した、ヘドロ分を含む分離液のＣＯＤ濃度が高い、１５０ｍｇ／Ｌ以上の場合は、曝気して、分離液のＣＯＤ濃度が高くない、１５０ｍｇ／Ｌ以上でない場合は、曝気せずに貯留する貯留工程と、
貯留された分離液を、凝集反応槽に移送して凝集剤を添加し、凝集反応を行う凝集反応工程と、
凝集反応工程の反応液を固液分離槽にて固液分離して分離汚泥と処理水を得る固液分離工程と
を具備することを特徴とする貝類の処理方法。
【請求項２】
海水の水路壁から剥離された付着性の貝類に硝酸塩を添加して腐敗臭防止とＣＯＤ抑制を行う腐敗臭防止工程と、
硝酸塩が添加された貝類を破砕して、または破砕せずに、水切り工程に移送する移送工程と、
移送された貝類を固形物と分離液とに分離する水切り工程と、
分離した固形物を別途処理する工程と、
分離した、ヘドロ分を含む分離液のＣＯＤ濃度が高い、１５０ｍｇ／Ｌ以上の場合は、
曝気して、分離液のＣＯＤ濃度が高くない、１５０ｍｇ／Ｌ以上でない場合は、曝気せずに貯留する貯留工程と、
貯留された分離液を、凝集反応槽に移送して凝集剤を添加し、凝集反応を行う凝集反応工程と、
凝集反応工程の反応液を固液分離槽にて固液分離して分離汚泥と処理水を得る固液分離工程と
を具備することを特徴とする貝類の処理方法。
【請求項３】
請求項１または２において、処理水をさらに濾過処理後、活性炭吸着処理することを特徴とする貝類の処理方法。
【発明の詳細な説明】
【技術分野】
【０００１】
本発明は、冷却水として海水を取り入れる水路の壁に付着する貝類を剥離した際に発生
する廃棄物としての剥離貝類の処理方法に関する。
【背景技術】
【０００２】
発電所、化学コンビナート、製鉄所等のプラントでは、海水が工業用冷却水として大量
に使用されているが、この海水の採水のための海水水路の壁には大量のムラサキイガイ、
フジツボ、カキなどの貝類が付着する。
【０００３】
これらの付着した貝類を放置すると、配管閉塞、海水採水量の低下、冷却効率の低下、
ひいては装置故障、発電装置稼動効率の低下等の様々な障害を引き起こすため、発電所の
定期検査の時期に、水路の水を抜いて、または抜かずして付着貝類を剥離し、これを廃棄
物として処理していた。
【０００４】
従来、剥離された貝類は、発電所等の敷地内に掘った穴に放置されていたが、夏場には量が多いことも相俟って、魚の腐敗したような臭気の発生や、投棄箇所からの汚水の流出といった環境汚染の問題があり、更に投棄場所の確保、投棄場所への運搬コスト等も大きな問題となっていた。
【０００５】
剥離された貝類の腐敗臭防止方法として、硝酸塩水溶液を散布する方法と硝酸塩水溶液
中に浸漬する方法が提案されている（特許文献１参照）。また、剥離された貝類の処理方
法として、固液分離して分離液は凝集沈殿処理または活性汚泥し、固形分は破砕してまた
は破砕処理せずに、乾燥・焼却処理または酵素分解処理することが知られている（特開平
６−７９２５５、特開平６−１２９６２６、特開平８−８９９３３）。処理方法として、
くらげを破砕して懸濁水とし、この懸濁水を硫酸バンドによって凝集沈殿処理する方法（
特開平４−４８９８６号公報）がある。
【特許文献１】特許第３４０５１２０号
【特許文献２】特開平６−７９２５５号
【特許文献３】特開平６−１２９６２６号
【特許文献４】特開平８−８９９３３号
【発明の開示】
【発明が解決しようとする課題】
【０００６】
従来、剥離された貝類を固液分離して得られる、ヘドロを含む分離液は、凝集剤により
凝集処理をして、ＣＯＤを除去して浄化されていた。しかし、剥離された貝類が固液分離
されるまでに一部腐敗が起こり、分離液中にＣＯＤ成分が溶出して濃度が高くなり、凝集
処理をしてもＣＯＤの除去効果が十分ではなく、その処理水をさらに高度処理しても最終
処理水のＣＯＤはやや高いものとなっていた。そのため、処理設備が長大化し、処理コス
トも嵩んでいた。
【０００７】
本発明は上記従来の問題点を解決し、簡素な処理設備で、剥離された貝類を篩などの水
切り手段で分離して得られる分離液のＣＯＤを十分に低下させるように処理することがで
きる処理方法を提供することを目的とする。
【課題を解決するための手段】
【０００８】
本発明（請求項１）の貝類の処理方法は、海水の水路壁から剥離された付着性の貝類を破砕して、または破砕せずに、水切り工程に移送する移送工程と、移送された貝類に硝酸塩を添加して腐敗臭防止とＣＯＤ抑制を行うとともに、水切りを行い、固形物と分離液とに分離する水切り工程と、分離した固形物を別途処理する工程と、分離した、ヘドロ分を含む分離液のＣＯＤ濃度が高い、１５０ｍｇ／Ｌ以上の場合は、曝気して、分離液のＣＯＤ濃度が高くない、１５０ｍｇ／Ｌ以上でない場合は、曝気せずに貯留する貯留工程と、貯留された分離液を、凝集反応槽に移送して凝集剤を添加し、凝集反応を行う凝集反応工程と、凝集反応工程の反応液を固液分離槽にて固液分離して分離汚泥と処理水を得る固液分離工程とを具備することを特徴とするものである。
【０００９】
本発明（請求項２）の貝類の処理方法は、海水の水路壁から剥離された付着性の貝類に硝酸塩を添加して腐敗臭防止とＣＯＤ抑制を行う腐敗臭防止工程と、硝酸塩が添加された貝類を破砕して、または破砕せずに、水切り工程に移送する移送工程と、移送された貝類を固形物と分離液とに分離する水切り工程と、分離した固形物を別途処理する工程と、分離した、ヘドロ分を含む分離液のＣＯＤ濃度が高い、１５０ｍｇ／Ｌ以上の場合は、曝気して、分離液のＣＯＤ濃度が高くない、１５０ｍｇ／Ｌ以上でない場合は、曝気せずに貯留する貯留工程と、貯留された分離液を、凝集反応槽に移送して凝集剤を添加し、凝集反応を行う凝集反応工程と、凝集反応工程の反応液を固液分離槽にて固液分離して分離汚泥と処理水を得る固液分離工程とを具備することを特徴とするものである。
【００１０】
本発明（請求項３）の貝類の処理方法は、請求項１または２において、処理水をさらに
濾過処理後、活性炭吸着処理することを特徴とするものである。
【００１２】
かかる本発明の貝類の処理方法によると、剥離された貝類の移送前または水切り時に硝酸塩を散布するので、貯留される分離貝類の腐敗臭が防止されるとともに、分離液貯槽内の分離液もＣＯＤの増加が抑制される。
【００１３】
剥離された貝類は、海水やヘドロとともにポンプ、バキュームカーまたはブルトーザーで移送されるが、移送前に水路底部に放置されると腐敗が進行するため、移送前に硝酸塩を散布することができる。剥離された貝類を放置せずにすぐ移送する場合は、水切り時に硝酸塩を散布する。
【００１４】
硝酸塩としては、硝酸カルシウム、硝酸ナトリウム、硝酸カリウム、硝酸アンモニウムなどを用いる。使用方法としては、剥離された貝類を硝酸塩水溶液に浸漬する方法と、剥離された貝類に硝酸塩使用液を散布する方法がある。硝酸塩の使用量は、剥離された貝類の重量当り０．１〜１．０重量％が目安である。
【００１５】
剥離された貝類は、水切りに先立って、剥離された貝類の減容化のために必要に応じ、
破砕機で破砕処理を行う。次に剥離された貝は、篩などの水切り手段で分離される。篩の
ほかに、サイクロン分離機や遠心分離機なども使用可能である。分離液は、同伴する海水
の量や移送前の貝類の腐敗の進行度合いや、破砕による減容化の実施の有無により、ＣＯ
Ｄ濃度は異なるが、ＣＯＤ濃度が高い場合（通常、ＣＯＤ濃度が１５０ｍｇ／Ｌ以上の場
合）は、分離液貯槽において曝気を行う。この場合、下水等の活性汚泥処理装置のように
、沈殿槽を設けて分離汚泥を曝気部へ汚泥返送するような操作は不要である。同伴される
ヘドロ中には、好塩性の微生物が存在し、単に曝気するだけで、その微生物は増殖し、Ｂ
ＯＤ成分に相当するＣＯＤ成分を分解する。ＣＯＤが低下された分離液は、凝集反応槽に
移送される。
【００１６】
分離液貯槽中の分離液のＣＯＤ濃度が高くない、１５０ｍｇ／Ｌ以上でない場合は、分離液貯槽において曝気を行うことなく、分離液は凝集反応槽に移送される。
【００１７】
凝集反応槽においては、分離液に凝集剤を添加して凝集処理を行う。凝集剤としては、
硫酸バンド、ＰＡＣ（ポリ塩化アルミニウム）、塩化第二鉄、ポリ硫酸鉄などを使用する
。さらに、ポリアクリル酸ナトリウムやポリアクリルアミドの部分加水分解物などの凝集
剤を添加して、生成フロックを大きくし、沈殿分離を容易にすることもできる。
【００１８】
凝集反応液は、沈殿槽や浮上分離槽などの固液分離装置で分離汚泥と処理水とに分離さ
れる。分離汚泥は脱水され、脱水ケーキは廃棄物として処理され、処理水は放流されるか
、必要に応じ、さらに高度処理される。
【００１９】
高度処理としては、濾過処理とそれに引続く活性炭吸着処理が挙げられる。濾過処理には上層がアンスラサイト、下層が砂からなる二層濾過器を用い、これに下向流で通水した後、活性炭吸着処理には、粒状活性炭を充填した活性炭塔を用い、これに下向流で通水して高度にＣＯＤを除去した処理水を得ることができる。
【発明の効果】
【００２０】
本発明によれば、剥離された貝類の移送前または篩などによる水切り時に硝酸塩を散布するので、貯留される分離貝類の腐敗臭が防止されるとともに、分離液貯槽内の分離液もＣＯＤの増加が抑制される。したがって、後続する凝集処理により、分離液のＣＯＤ除去は容易に行われる。
【発明を実施するための最良の形態】
【００２１】
以下に図面を参照して本発明の実施の形態を詳細に説明する。
【００２２】
図１は本発明の貝類の処理方法の実施の形態を示す系統図である。
海水の水路壁１から剥離された貝類２は、ポンプ（図示せず）により移送され、破砕機（図示せず）により破砕して、または破砕せずに篩３の上に放出され、篩３からすべり落ちた貝類は一時貯留場４に貯留されるとともに、分離液は同伴されるヘドロとともに貯槽５に貯留される。硝酸塩は、散布手段６から篩３の上の貝類に散布され、一時貯留場４の貯留される貝類は、腐敗臭が防止される。
【００２３】
分離液は、貯槽５において必要に応じて曝気手段７により曝気する。分離液には同伴す
るヘドロが存在するので、単に曝気するだけで好塩性の微生物が活性となり、分離液中の
溶解性有機物を分解するので、ＣＯＤを除去することができる。貯槽５内の分離液はポン
プＰ１で凝集反応槽８に移送され、そこで凝集剤９が添加され、凝集処理される。すなわ
ち、硫酸バンドや塩化第二鉄の添加により生成フロックにＣＯＤ成分が取り込まれる。生
成したフロックは、沈殿槽１０で上澄水と沈殿汚泥とに分離される。沈殿汚泥は汚泥排出
管１１から排出され、別途処理される。上澄水は、そのまま放流してもよいが、ポンプピ
ット１２からポンプＰ２により、必要に応じて濾過器１３および／または活性炭吸着塔１
４に通水してさらに微細懸濁物やＣＯＤを除去して高度処理を行い、排出管１５から排出
する。
【実施例１】
【００２４】
図１に示す貝類の処理装置を用いて、貝類の処理を行った。ただし、破砕機、曝気手段７、濾過器１３および活性炭吸着塔１４は稼動を停止した。まず剥離された貝類は、海水とともに篩３に移送され、分離した貝類は一時貯留場４に貯留し、分離液（ＣＯＤMn５０ｍｇ／Ｌ）は、貯槽５に受け入れた。その際、篩３上には、硝酸カルシウムを海水に溶かした５０％溶液を硝酸カルシウムとして、貝類重量当り０．１％となるように散布した。分離液は曝気することなく、ポンプＰ１で流量５ｍ3／ｈｒで凝集反応槽８に送られ、そこに塩化第二鉄を３００ｍｇ／Ｌ添加して凝集処理を行い、沈殿槽（分離面積：２０ｍ2）で固液分離した。上澄水のＣＯＤMnは１５ｍｇ／Ｌであった。なお、一時貯留場の分離貝は、５日放置されたが、腐敗臭はしなかった。
比較例１  実施例１において、硝酸塩を散布することなく、実施例１と同様の処理を行ったところ、上澄水のＣＯＤMnは３０ｍｇ／Ｌであった。なお、一時貯留場の分離貝は、１日放置後には腐敗臭が鼻を刺激した。
実施例２実施例１において、同伴海水が少なく、分離液のＣＯＤ濃度がＣＯＤMn４００ｍｇ／Ｌと高かったので曝気手段を稼動させ、分離液１ｍ3当り空気を０．０１ｍ3／ｍｉｎ曝気し、さらに濾過器１３（二層濾過器：１．４ｍ3）および活性炭吸着塔（１．４ｍ3）にそれぞれＳＶ０．７ｈｒ-1で通水したところ、沈殿槽１２の上澄水３および最終処理水のＣＯＤMnはそれぞれ８０ｍｇ／Ｌおよび１０ｍｇ／Ｌであった。
比較例２  実施例２において、硝酸塩を散布することなく、実施例２と同様の処理を行ったところ、分離液のＣＯＤMnは１００ｍｇ／Ｌであり、上澄水のＣＯＤMnは２０ｍｇ／Ｌであった。なお、一時貯留場の分離貝は、１日放置後には腐敗臭が鼻を刺激した。
【００２５】
以上の結果から、剥離された貝類の篩による分離時に硝酸塩を散布する実施例１および実施例２では、一時貯留した貝類の腐敗臭防止の効果もあり、分離液のＣＯＤ低減が可能となった。このため、上澄水または最終処理水の水質は良好となった。
【図面の簡単な説明】
【００２６】
【図１】本発明の貝類の処理法の実施の形態を示す系統図である。
【符号の説明】
【００２７】
１    水路壁
２    貝類
３    篩
４    一時貯留場
５    貯槽
６    散布手段
７    曝気手段
８    凝集反応槽
９    凝集剤
１０  沈殿槽
１１  汚泥排出管
１２  ポンプピット
１３  濾過器
１４  活性炭吸着塔
１５排出管
【図１】
0005228269.tif 000002